(57)【要約】  本発明の一観点による立体像投影装置は、立体像の情報を含む立体像情報保持部と、再生照明光を立体像情報保持部に照射して立体像を第１の位置にシュードスコピック像として再生する再生光源と、アレイ状に並べられた複数の光投影素子を有し、複数の光投影素子のそれぞれが、第１の位置に再生された立体像を、複数の光投影素子を挟んで第１の位置とは反対の側の第２の位置に投影する像投影部と、を備える。
2019146802.tif 000002
【特許請求の範囲】
【請求項１】
立体像の情報を含む立体像情報保持部と、
再生照明光を前記立体像情報保持部に照射して前記立体像を第１の位置にシュードスコピック像として再生する再生光源と、
アレイ状に並べられた複数の光投影素子を有し、前記複数の光投影素子のそれぞれが、前記第１の位置に再生された前記立体像を、前記複数の光投影素子を挟んで前記第１の位置とは反対の側の第２の位置に投影する像投影部と、
を備える、
立体像投影装置。
【請求項２】
前記立体像情報保持部は、前記像投影部と前記第１の位置との間に配置される、
請求項１に記載の立体像投影装置。
【請求項３】
前記立体像情報保持部は、前記立体像の波面情報を予め記録したホログラムである、
請求項１又は２に記載の立体像投影装置。
【請求項４】
前記立体像情報保持部は反射型のホログラムであり、前記再生光源は前記像投影部と前記立体像情報保持部の間に配置される、
請求項３に記載の立体像投影装置。
【請求項５】
前記立体像情報保持部と前記像投影部とが互いに接して配置される、
請求項１から３のいずれか一項に記載の立体像投影装置。
【請求項６】
前記立体像情報保持部は、透過型又はエッジリット型のホログラムである、
請求項５に記載の立体像投影装置。
【請求項７】
立体像の情報を含む立体像情報保持部と、
再生照明光を前記立体像情報保持部に照射して前記立体像を第１の位置に再生する再生光源と、
アレイ状に並べられた複数の光投影素子を有し、前記複数の光投影素子のそれぞれが、前記第１の位置に再生された前記立体像を、前記複数の光投影素子を挟んで前記第１の位置とは反対の側の第２の位置に投影する像投影部と、
を備え、
前記立体像情報保持部は、前記像投影部と前記第１の位置との間に配置される、
立体像投影装置。
【請求項８】
前記立体像情報保持部は、
第１の側から照射される前記再生照明光を反射して前記第１の側に前記立体像を再生する反射型ホログラムと、
前記反射型ホログラムの前記第１の側に配置され、前記再生光源から照射されて前記反射型ホログラムを透過した前記再生照明光を反射して、該反射した前記再生照明光を前記第１の側から前記反射型ホログラムに照射するとともに、前記反射型ホログラムによって再生された前記立体像の光を透過させる光束分割素子と、を有し、
前記再生光源は、前記反射型ホログラムについて前記第１の側とは反対の第２の側に配置され、前記反射型ホログラムに向けて前記再生照明光を照射する、
請求項１、２、３、５、７のいずれか一項に記載の立体像投影装置。
【請求項９】
前記立体像情報保持部は、前記反射型ホログラムと前記光束分割素子が、互いに重ね合わせて配置される、
請求項８に記載の立体像投影装置。
【請求項１０】
前記立体像情報保持部は、
前記反射型ホログラムと前記光束分割素子の間に配置された１／４波長板と、
前記光束分割素子について前記反射型ホログラムとは反対の側に配置され、透過する光のうちの第１軸方向に沿った偏光成分を吸収する偏光板と、を更に有し、
前記再生光源は、前記１／４波長板を透過した前記再生照明光が前記第１軸方向に沿った直線偏光となるように、前記再生照明光を照射する、
請求項８に記載の立体像投影装置。
【請求項１１】
前記立体像情報保持部は、前記反射型ホログラムと前記光束分割素子の間に配置された１／４波長板を更に有し、
前記光束分割素子は、照射された光の第１軸方向に沿った偏光成分を反射し、前記第１軸方向と直交する第２軸方向に沿った偏光成分を透過させる偏光ビームスプリッタであり、
前記再生光源は、前記１／４波長板を透過した前記再生照明光が前記第１軸方向に沿った直線偏光となるように、前記再生照明光を照射する、
請求項８に記載の立体像投影装置。
【請求項１２】
前記立体像情報保持部は、前記光束分割素子について前記反射型ホログラムとは反対の側に配置され、透過する光のうちの前記第１軸方向に沿った偏光成分を吸収する偏光板を更に有する、
請求項１１に記載の立体像投影装置。
【請求項１３】
前記反射型ホログラム、前記光束分割素子、及び前記１／４波長板は、互いに重ね合わせて配置される、
請求項１０から１２のいずれか一項に記載の立体像投影装置。
【請求項１４】
前記立体像情報保持部は、
第１の側から照射される前記再生照明光を反射して前記第１の側に前記立体像を再生する反射型ホログラムと、
前記反射型ホログラムの前記第１の側に配置され、前記再生照明光の一部又は全部を前記反射型ホログラムへ透過させ、前記反射型ホログラムによって再生された前記立体像の光の一部又は全部を前記反射型ホログラムに向けて反射する光束分割素子と、を有し、
前記再生光源は、前記反射型ホログラムの前記第１の側に配置され、前記再生照明光を、前記光束分割素子を介して前記反射型ホログラムに照射する、
請求項１、２、３、５、７のいずれか一項に記載の立体像投影装置。
【請求項１５】
前記立体像情報保持部は、前記反射型ホログラムと前記光束分割素子が、互いに重ね合わせて配置される、
請求項１４に記載の立体像投影装置。
【請求項１６】
前記立体像情報保持部は、
前記反射型ホログラムの前記第１の側とは反対側の第２の側に配置され、入射する光の第１軸方向の偏光成分を透過させ、前記第１軸方向と直交する第２軸方向の偏光成分を透過させない偏光板と、
前記反射型ホログラムと前記偏光板の間に配置された１／４波長板と、を更に有し、
前記光束分割素子は、入射する光の一部を透過させて一部を反射し、
前記再生光源は、前記１／４波長板を一回透過すると前記第１軸方向に平行な直線偏光となる円偏光の前記再生照明光を照射する、
請求項１４に記載の立体像投影装置。
【請求項１７】
前記立体像情報保持部は、
前記反射型ホログラムの前記第１の側とは反対側の第２の側に配置され、入射する光の第１軸方向の偏光成分を透過させ、前記第１軸方向と直交する第２軸方向の偏光成分を透過させない偏光板と、
前記反射型ホログラムと前記光束分割素子の間に配置された１／４波長板と、を更に有し、
前記光束分割素子は、入射する光の一部を透過させて一部を反射し、
前記再生光源は、前記１／４波長板を一回透過すると前記第２軸方向に平行な直線偏光となる円偏光の前記再生照明光を照射する、
請求項１４に記載の立体像投影装置。
【請求項１８】
前記立体像情報保持部は、
前記反射型ホログラムの前記第１の側とは反対側の第２の側に配置され、入射する光の第１軸方向の偏光成分を透過させ、前記第１軸方向と直交する第２軸方向の偏光成分を透過させない偏光板と、
前記反射型ホログラムと前記偏光板の間に配置された第１の１／４波長板と、
前記反射型ホログラムと前記光束分割素子の間に配置された第２の１／４波長板と、を更に有し、
前記光束分割素子は、入射する光の前記第１軸方向の偏光成分を透過させ、前記第２軸方向の偏光成分を反射し、
前記再生光源は、前記第１軸方向に平行な直線偏光の前記再生照明光を照射する、
請求項１４に記載の立体像投影装置。
【請求項１９】
前記反射型ホログラム、前記光束分割素子、前記偏光板、及び前記１／４波長板は、互いに重ね合わせて配置される、
請求項１６から１８のいずれか一項に記載の立体像投影装置。
【発明の詳細な説明】
【技術分野】
【０００１】
本発明は、立体像投影装置に関する。
【背景技術】
【０００２】
近年、多数の微小な光反射面又はレンズが並べられたアレイプレートを用いて、映像が空中に浮遊しているように見せることが可能な像投影装置が実現されている。このような像投影装置によれば、看板（Signage）等の広告文字、或いはディスプレイの表示画面等を何もない空間に投影して、視覚効果に優れた映像を再生することが可能となる。【０００３】
例えば、特許文献１には、多数のレンズが並べられたマイクロレンズアレイを用いて、ディスプレイに表示された２次元（２Ｄ）の映像を空間に投影する技術が記載されている。また、特許文献２、３、４には、多数の光反射面が並べられた構成を有して空間に映像を投影することが可能な光学結像装置、或いは２面コーナーリフレクタアレイの具体的な構造が記載されている。【０００４】
これらの特許文献では、主にディスプレイ等に表示された２次元の映像を平面像として投影する技術について記載されている。しかし、２次元の平面像ではなく３次元（３Ｄ）の立体像を空間に投影することができれば、更に視覚効果に優れた立体映像の再生が可能になることが期待される。
【先行技術文献】
【特許文献】
【０００５】
【特許文献１】国際公開第２０１０／０３５３２６号
【特許文献２】特開２０１３−１２７６２５号公報
【特許文献３】特開２０１７−０６７９３３号公報
【特許文献４】国際公開第２００７／１１６６３９号
【発明の概要】
【発明が解決しようとする課題】
【０００６】
しかしながら、上述の特許文献の技術を用いて３次元の像を投影しようとすると、平面的なディスプレイ等に代えて、立体的な実物体を立体像投影装置内に配置する必要がある。このため、立体像投影装置が大型化してしまうという課題がある。【０００７】
そこで、本発明は、小型化が可能な立体像投影装置を提供することを目的とする。
【課題を解決するための手段】
【０００８】
本発明の一観点による立体像投影装置は、立体像の情報を含む立体像情報保持部と、再生照明光を立体像情報保持部に照射して立体像を第１の位置にシュードスコピック像として再生する再生光源と、アレイ状に並べられた複数の光投影素子を有し、複数の光投影素子のそれぞれが、第１の位置に再生された立体像を、複数の光投影素子を挟んで第１の位置とは反対の側の第２の位置に投影する像投影部と、を備える。【０００９】
また、本発明の別観点による立体像投影装置は、立体像の情報を含む立体像情報保持部と、再生照明光を立体像情報保持部に照射して立体像を第１の位置に再生する再生光源と、アレイ状に並べられた複数の光投影素子を有し、複数の光投影素子のそれぞれが、第１の位置に再生された立体像を、複数の光投影素子を挟んで第１の位置とは反対の側の第２の位置に投影する像投影部と、を備え、立体像情報保持部は、像投影部と第１の位置との間に配置される。
【発明の効果】
【００１０】
本発明によれば、小型化が可能な立体像投影装置を提供することができる。
【図面の簡単な説明】
【００１１】
【図１】図１は、第１実施形態に係る立体像投影装置の構成を模式的に示す図である。
【図２】図２は、第１実施形態に係る像投影部の構造の一例を概略的に示す図である。
【図３】図３は、第１実施形態に係る立体像投影装置の変形例の構成を模式的に示す図である。
【図４】図４は、第２実施形態に係る立体像投影装置の構成を模式的に示す図である。
【図５】図５は、第２実施形態に係る立体像投影装置の変形例の構成を模式的に示す図である。
【図６】図６は、第３実施形態に係る立体像投影装置の構成を模式的に示す図である。
【図７】図７は、第３実施形態に係る立体像投影装置の変形例の構成を模式的に示す図である。
【図８】図８は、第４実施形態に係る立体像情報保持部の構成を模式的に示す図である。
【図９】図９は、第５実施形態に係る立体像情報保持部の構成を模式的に示す図である。
【図１０】図１０は、第６実施形態に係る立体像情報保持部の構成を模式的に示す図である。
【図１１】図１１は、第７実施形態に係る立体像情報保持部の構成を模式的に示す図である。
【図１２】図１２は、第８実施形態に係る立体像情報保持部の構成を模式的に示す図である。
【図１３】図１３は、第９実施形態に係る立体像情報保持部の構成を模式的に示す図である。
【図１４】図１４は、第１０実施形態に係る立体像情報保持部の構成を模式的に示す図である。
【図１５】図１５は、第１１実施形態に係る立体像情報保持部の構成を模式的に示す図である。
【発明を実施するための形態】
【００１２】
以下、本発明の好適な実施形態について図面を用いて説明する。なお、本発明は以下の実施形態に限定されるものではなく、その要旨を逸脱しない範囲において適宜変更可能である。また、各図において同一、又は相当する機能を有するものは、同一符号を付し、その説明を省略又は簡潔にすることもある。
【００１３】
［第１実施形態］
本実施形態の立体像投影装置は、実物体を配置する代わりに、立体像情報保持部に予め記録された立体像を、実物体が本来配置されるべき第１の位置に再生する。また、本実施形態の立体像投影装置は、アレイ状に並べられた複数の光投影素子を有し、複数の光投影素子のそれぞれが第１の位置に再生された立体像（再生像）を第２の位置に投影する像投影部を備える。この立体像情報保持部は、像投影部と第１の位置の間に配置される。このような立体像投影装置の構成によれば、像投影部から立体像情報保持部までの距離を、像投影部から立体像（再生像）までの距離よりも短くできるので、立体像投影装置を小型化することができる。
【００１４】
図１は、第１実施形態に係る立体像投影装置１の構成を模式的に示す図である。図１に示された立体像投影装置１は、立体像情報保持部１１、再生光源１２、及び像投影部１３を備える。本実施形態の立体像投影装置１は、立体像情報保持部１１に予め記録された立体像２１を、立体像情報保持部１１の像投影部１３とは反対の側の位置Ｘ１に再生する。すなわち、立体像情報保持部１１は、像投影部１３と位置Ｘ１の間に配置される。
【００１５】
立体像情報保持部１１は、立体像２１の情報を含む。立体像情報保持部１１としては、例えば、立体像２１の波面情報を予め記録したホログラムが用いられ得る。本実施形態の立体像情報保持部１１としては、透過型、反射型、又はエッジリット（edge-lit）型のいずれのホログラムを用いてもよい。或いは、例えば動画ホログラムのような、動く立体像２１を再生可能な像再生部を含む構成を、立体像情報保持部１１として用いてもよい。
【００１６】
再生光源１２は、再生照明光を立体像情報保持部１１に照射して、位置Ｘ１に立体像２１（再生像）を再生する。再生光源１２としては、一般的には、立体像２１を立体像情報保持部１１に記録した記録光（参照光）と同じ波長を有するレーザ光を発するレーザ光源が用いられるが、立体像情報保持部１１の種類に合わせて好適な再生光源１２が用いられてもよい。例えばレーザ光源以外に、立体像２１を立体像情報保持部１１に記録した記録光（参照光）と同じ波長を含む光を発する一般的な光源を、再生光源１２として用いてもよい。
【００１７】
図１では立体像情報保持部１１として反射型のホログラムを用い、像投影部１３の側から立体像情報保持部１１に再生照明光を照射して立体像２１を再生する場合の例を示した。このような構成では、再生光源１２を像投影部１３と立体像情報保持部１１の間に配置して、立体像投影装置１を小型化することができる。
【００１８】
本実施形態の立体像情報保持部１１は、立体像２１を位置Ｘ１に共役像として再生する。そのため、再生光源１２は、立体像２１を立体像情報保持部１１に記録したときとは逆の方向から立体像情報保持部１１を照射するように配置されている。この結果、共役像として再生される立体像２１は、もとの立体像２１の形状に対して凹凸が反転した、いわゆるシュードスコピック(pseudo-scopic)な像となっている。
【００１９】
像投影部１３は、位置Ｘ１に再生された立体像２１を、像投影部１３を挟んで位置Ｘ１とは反対の側の位置Ｘ２に立体像２２（投影像）として投影する。像投影部１３は、アレイ状に並べられた複数の光投射素子を有する。このような像投影部１３としては、例えば、特許文献１に記載のマイクロレンズアレイ、特許文献２に記載の光学結像装置、或いは特許文献３に記載の２面コーナーリフレクタアレイ等が用いられ得る。これらの像投影部１３が用いられる場合、像投影部１３から立体像２２（投影像）の位置Ｘ２までの距離Ｌ１は、像投影部１３から立体像２１（再生像）の位置Ｘ１までの距離Ｌ１と等しくなる。
【００２０】
図１に示された本実施形態の構成において、像投影部１３により投影される立体像２２は、位置Ｘ１に再生された立体像２１の形状に対して凹凸が反転する。このため、位置Ｘ２に投影される立体像２２は、位置Ｘ１に再生されたシュードスコピックな立体像２１が像投影部１３によって再度反転され、立体像情報保持部１１に予め記憶されたもとの実物体と同じ凹凸の形状に戻っている。
【００２１】
従って、本実施形態の立体像投影装置１では、立体像情報保持部１１に記憶されたもとの実物体と同じ凹凸の形状を有する立体像２２を投影することができる。一般的な用途においては、もとの実物体の形状に対して凹凸が反転していると違和感を生じるため、このようにシュードスコピック像を回避することは視覚効果を高める上で有効である。
【００２２】
図２は、第１実施形態に係る像投影部１３の構造の一例を概略的に示す図である。図２に示された像投影部１３は、第１のアレイプレート１３ａと、第２のアレイプレート１３ｂとが、光の通過方向に沿って互いに重ね合わされた構造を有している。
【００２３】
第１のアレイプレート１３ａには、第１方向ｎａを法線方向とする光反射面を有する複数の第１の光反射素子１３０ａが、第１方向ｎａに沿って並べられている。また、第２のアレイプレート１３ｂには、第１方向ｎａと直交する第２方向ｎｂを法線方向とする光反射面を有する複数の第２の光反射素子１３０ｂが、第２方向ｎｂに沿って並べられている。
【００２４】
図２に示された像投影部１３では、複数の第１の光反射素子１３０ａの一つと複数の第２の光反射素子１３０ｂの一つとの組のそれぞれが、光投影素子を構成している。第１の光反射素子１３０ａ及び第２の光反射素子１３０ｂは、例えば、ミラーとすることができる。
【００２５】
図２に示された像投影部１３の位置Ｘ１の側から入射した光は、まず、第２の光反射素子１３０ｂによって反射され、次に、第１の光反射素子１３０ａによって反射され、像投影部１３の位置Ｘ２の側に出射する。すなわち、第１の光反射素子１３０ａと第２の光反射素子１３０ｂの組により構成される光投影素子が、位置Ｘ１に再生された立体像２１を位置Ｘ２に投影する。
【００２６】
このため、立体像２２が投影される位置Ｘ２よりも像投影部１３から離れた視点の位置を変えながら立体像２２を見ると、その視点から立体像２２を見た方向に位置する光投影素子によって位置Ｘ１の立体像２１が投影される。この結果、その光投影素子の方向から見た立体像２１が位置Ｘ２に立体像２２として再生される。そのため、視点の位置に応じた方向から見た立体像２２が観察されるので、立体像２２が空中に浮遊しているように見える。
【００２７】
図２に示されるような複数の光反射面がアレイ状に並べられた構造を有する像投影部１３は、特許文献１に記載されたマイクロレンズアレイと比較して、投影される立体像２２がぼけずに見える範囲が広いという利点を有する。
【００２８】
図１に示されるように、本実施形態の立体像情報保持部１１は、像投影部１３と位置Ｘ１の間に配置される。従って、本実施形態の立体像投影装置１の構成では、立体像２１が再生される位置Ｘ１よりも像投影部１３の側に立体像情報保持部１１が配置されるため、立体像投影装置１を小型化することができる。
【００２９】
以上のように、本実施形態の立体像投影装置は、立体像の情報を含む立体像情報保持部と、再生照明光を立体像情報保持部に照射して立体像を第１の位置にシュードスコピック像として再生する再生光源とを備える。また、本実施形態の立体像投影装置は、アレイ状に並べられた複数の光投影素子を有し、複数の光投影素子のそれぞれが、第１の位置に再生された立体像を第２の位置に投影する像投影部を備える。このような立体像投影装置の構成によれば、立体像投影装置を小型化しつつ、立体像情報保持部に予め記憶されたもとの実物体と同じ凹凸の形状を有する立体像を投影することができる。
【００３０】
また、本実施形態の再生光源は、再生照明光を立体像情報保持部に照射して、像投影部から見て立体像情報保持部よりも遠い第１の位置に立体像を再生するように配置される。これにより、像投影部から立体像情報保持部までの距離を、像投影部から立体像（再生像）までの距離よりも短くできるので、立体像投影装置を更に小型化することができる。
【００３１】
なお、立体像２２としてシュードスコピックな像を投影しても問題ないような用途、或いは意図的にシュードスコピックな像を投影したいような用途においては、必ずしも立体像２１を共役像として再生する必要はない。そのためには、再生光源１２は、立体像２１を立体像情報保持部１１に記録したときと同じ方向から立体像情報保持部１１を照射するように配置される。この場合でも、本実施形態の構成によれば、立体像２１が再生される位置Ｘ１よりも像投影部１３の側に立体像情報保持部１１が配置されるため、立体像投影装置１が小型化される。
【００３２】
図３は、第１実施形態に係る立体像投影装置１の変形例の構成を模式的に示す図である。図３では立体像情報保持部１１として、例えば、透過型のホログラムを用い、再生光源１２は、立体像情報保持部１１の像投影部１３とは反対の側から立体像情報保持部１１に再生照明光を照射して立体像２１を再生する。その他については図１と同じである。
【００３３】
図３に示された構成でも、立体像情報保持部１１は、立体像２１が再生される位置Ｘ１よりも像投影部１３の側に配置される。このため、立体像投影装置１が小型化される。なお、透過型のホログラムとして、第４〜第１１実施形態で説明する、反射型のホログラムを透過型のホログラムのように使用する構成が用いられてもよい。
【００３４】
［第２実施形態］
図４は、第２実施形態に係る立体像投影装置１の構成を模式的に示す図である。図４に示された立体像投影装置１は、立体像情報保持部１１と像投影部１３とが互いに接して配置されている点が、第１実施形態と異なっている。その他については第１実施形態と同じであるため、以下では第１実施形態と異なる点について説明する。
【００３５】
本実施形態の立体像情報保持部１１は、図４に示されるように、像投影部１３と接するように配置され、位置Ｘ１に立体像２１を再生する。このため、本実施形態の立体像投影装置１の構成では、第１実施形態の構成と比較して、立体像投影装置１を更に小型化することができる。
【００３６】
本実施形態では、立体像情報保持部１１と像投影部１３とが互いに接しているため、再生光源１２は、図４に示されるように、像投影部１３とは反対の側から立体像情報保持部１１に再生照明光を照射して立体像２１を再生するように配置される。立体像情報保持部１１としては、立体像２２が投影される位置Ｘ２の側から立体像２１が見えるように再生照明光を通過させる透過型のホログラムが用いられる。この透過型のホログラムとして、第４〜第１１実施形態で説明する、反射型のホログラムを透過型のホログラムのように使用する構成が用いられてもよい。
【００３７】
或いは、エッジリット（edge-lit）型のホログラムを立体像情報保持部１１として用いてもよい。この場合には、図５に示されるように、立体像情報保持部１１の側面の端部（edge）の側から立体像情報保持部１１に再生照明光を照射（lit）して、位置Ｘ１に立体像２１を再生するように再生光源１２が配置される。
【００３８】
以上のように、本実施形態の立体像投影装置は、立体像情報保持部と像投影部とが互いに接して配置される。これにより、立体像投影装置が更に小型化される。
【００３９】
［第３実施形態］
図６は、第３実施形態に係る立体像投影装置１の構成を模式的に示す図である。図６に示された立体像投影装置１では、立体像情報保持部１１と重なる位置Ｘ１に立体像２１が再生される。或いは、図示しないが、立体像情報保持部１１よりも像投影部１３に近い位置Ｘ１に立体像２１が再生されてもよい。その他については第１実施形態と同じであるため、以下では第１実施形態と異なる点について説明する。
【００４０】
図６に示す立体像情報保持部１１は、例えば、反射型のホログラムとされ、像投影部１３の側から再生照明光を照射されたときに立体像２１を位置Ｘ１に再生するように配置される。或いは、立体像情報保持部１１は、図７に示すように、透過型のホログラムとされ、像投影部１３の側とは反対の側から再生照明光を照射されたときに立体像２１を位置Ｘ１に再生するように配置されてもよい。この透過型のホログラムとして、第４〜第１１実施形態で説明する、反射型のホログラムを透過型のホログラムのように使用する構成が用いられてもよい。
【００４１】
以上のように、本実施形態の立体像情報保持部は、立体像を再生する第１の位置又は第１の位置よりも像投影部１３から遠い位置に配置される。このような構成でも上述の実施形態の構成と同様に、立体的な実物体を立体像投影装置内に配置する必要がないため、立体像投影装置が従来の構成と比較して小型化される。
【００４２】
［第４実施形態］
例えば、図３、図４、及び図７に示したように、透過型のホログラムを立体像情報保持部１１として用いることで、立体像情報保持部１１の像投影部１３から遠い側に再生光源１２を配置することができる。このため、透過型のホログラムは、像投影部１３に近づけて配置することができ、立体像投影装置１を小型化しやすいという利点を有する。
【００４３】
一方、リップマンホログラムに代表される反射型のホログラムは、透過型のホログラムと比較して、波長選択性が高いという利点を有する。例えばリップマンホログラムは、ＬＥＤ（Ｌｉｇｈｔ−Ｅｍｉｔｔｉｎｇ  Ｄｉｏｄｅ）又は電球等のような波長域の広い光を発する一般的な光源を再生光源として用いる場合でも、特定の狭い波長域の光に対してのみ作用するため色分散が小さい。このため、リップマンホログラムでは、例えば数μｍ〜数十μｍの実用的な記録材で反射型のホログラムを作製しても立体像のボケが抑えられる。また、反射型のホログラムは、立体像をカラー化させることが容易であり、透過型のホログラムと比較して、高品質な立体像を再生することができるという利点を有する。
【００４４】
そこで、リップマンホログラムに代表される反射型のホログラムを、透過型のホログラムのように使用することができれば、立体像情報保持部１１を像投影部１３に近づけて配置して立体像投影装置１を小型化しつつ、高品質な立体像２１を再生することができる。このような反射型のホログラムを透過型のホログラムのように使用する構成の例を以下に示す。
【００４５】
図８は、第４実施形態に係る立体像情報保持部１１の構成を模式的に示す図である。本実施形態の立体像情報保持部１１は、反射型ホログラム２、及び光束分割素子３を備える。
【００４６】
再生光源１２は、反射型ホログラム２の背面側（第２の側、図中の右側）に配置され、再生照明光２０が反射型ホログラム２を透過して光束分割素子３に向かうように再生照明光２０を照射する。再生照明光２０は、反射型ホログラム２に物体像を記録したときの記録光と同じ波長成分を含む。再生光源１２としては、一般的にはレーザ光源が用いられるが、ＬＥＤ又は電球等の一般的な光源を用いることも可能である。
【００４７】
反射型ホログラム２は、反射型ホログラム２の前面側（第１の側、図中の左側）から照射された再生照明光２０を反射して同じ前面側に立体像２１を再生する。反射型ホログラム２としては、例えばリップマンホログラムが用いられる。
【００４８】
光束分割素子３は、反射型ホログラム２の前面側に配置される。光束分割素子３は、再生光源１２から照射されて反射型ホログラム２を透過した再生照明光２０を反射して、反射型ホログラム２の前面側を照射するとともに、反射型ホログラム２によって再生された立体像２１の光２３を透過させる。
【００４９】
光束分割素子３としては、照射された光の一部を反射して残りを透過させるビームスプリッタが用いられる。これにより、光束分割素子３は、再生光源１２から照射された再生照明光２０を、反射型ホログラム２に向けて反射しつつ、反射型ホログラム２によって再生された立体像２１の光２３を透過させることができる。
【００５０】
図８において、再生光源１２から照射された再生照明光２０は、光束分割素子３によって反射され、反射型ホログラム２の前面側に照射される。この結果、反射型ホログラム２の前面側に立体像２１が再生され、立体像２１の光２３が光束分割素子３を再度透過して観察者６によって観察される。
【００５１】
図８に示した反射型ホログラム２は、共役再生されたときに、凹凸が反転したシュードスコピックな立体像２１を再生する。この場合、反射型ホログラム２によって図１〜図７に示した位置Ｘ１に再生されたシュードスコピックな立体像２１は、像投影部１３によって凹凸が再反転されて、位置Ｘ２に投影される。すなわち、本実施形態の立体像情報保持部１１を用いた立体像投影装置１は、反射型ホログラム２に予め記憶されたもとの実物体と同じ凹凸の形状を有する立体像２２を、位置Ｘ２に投影することができる。後の第５〜第７実施形態の立体像情報保持部を用いた立体像投影装置１についても同様である。
【００５２】
以上のように、本実施形態の立体像情報保持部は、反射型ホログラムの像が再生される前面側に配置された光束分割素子を備える。そして、光束分割素子は、再生光源から照射された再生照明光を反射して反射型ホログラムの前面側に再生照明光を照射するとともに、反射型ホログラムによって再生された立体像の光を透過させる。
【００５３】
これにより、立体像投影装置は、反射型ホログラムを透過型ホログラムのように使用することができるため、立体像情報保持部を像投影部に近づけて配置して立体像投影装置を小型化しつつ、高品質な立体像を再生することができる。
【００５４】
なお、図８では、便宜上、反射型ホログラムと光束分割素子とを互いに空間を隔てて図示したが、反射型ホログラムと光束分割素子とは、互いに重ね合わされて配置されることが好ましい。これにより、立体像情報保持部が更に小型化される。
【００５５】
［第５実施形態］
図９は、第５実施形態に係る立体像情報保持部１１ｂの構成を模式的に示す図である。本実施形態の立体像情報保持部１１ｂは、図８に示された第４実施形態の構成に加えて、偏光板４、及び１／４波長板５を更に備える。また、本実施形態の再生光源１２ｂは、円偏光である再生照明光２０を照射する。その他については第４実施形態と同様であるため、以下では第４実施形態と異なる点について説明する。
【００５６】
偏光板４と１／４波長板５とは、組み合わせて用いられ、反射型ホログラム２の第１の側の太陽又は蛍光灯等の外光源７からの外光７０による外光反射を抑制する光アイソレータとして機能する。偏光板４及び１／４波長板５の光アイソレータとしての機能は、１／４波長板５の互いに直交する高速軸及び低速軸が、偏光板４の光透過軸に対して４５°傾いている場合に最大となるが、本実施形態はこれに限定されない。１／４波長板５の高速軸又は低速軸は、偏光板４の光透過軸に対して、０°よりも大きく９０°よりも小さい角度で傾いていればよい。
【００５７】
偏光板４は、光束分割素子３について反射型ホログラム２とは反対の側に配置される。図９に示された偏光板４は、第１軸方向に沿った光吸収軸を有し、偏光板４を透過する光のうちの第１軸方向に沿った偏光成分を吸収し、第１軸方向と直交する第２軸方向に沿った偏光成分を透過させる。偏光板４としては、例えば、ポリビニルアルコール（ＰＶＡ）フィルム等にヨウ素化合物又は２色性有機染料を吸着して配向させた偏光板が用いられる。
【００５８】
１／４波長板５は、反射型ホログラム２と光束分割素子３の間に配置され、１／４波長板５を透過する光の高速軸方向の偏光成分と低速軸方向の偏光成分の間に１／４波長に相当する位相差を与える。これにより、１／４波長板５は、１／４波長板５を透過した光の偏光状態を例えば下表のように変化させる。ここで、第１軸方向は、偏光板４の光吸収軸に平行な偏光軸方向であり、第２軸方向は、偏光板４の光吸収軸と直交する偏光軸方向である。
【表１】
2019146802.tif 000003
【００５９】
１／４波長板５は、４００〜７００ｎｍの可視光域の透過光に対して概ね１／４波長に相当する位相差を与える広帯域性を有することが好ましい。また、１／４波長板５は、４００〜７００ｎｍの可視光域の入射光に対する角度依存性が低いことが好ましい。
【００６０】
再生光源１２ｂは、１／４波長板５を透過した再生照明光２０が第１軸方向に沿った直線偏光となるように、予め円偏光させた再生照明光２０を照射する。このような右円偏光の再生照明光２０を照射する再生光源１２ｂは、例えば、第２軸方向に平行な直線偏光の光を出力するレーザ光源と、上表のように光の偏光状態を変化させる１／４波長板とを組み合わせて構成される。
【００６１】
ここで、直線偏光の光を出力する光源は、レーザ光源を用いる他に、無偏光の光を照射するＬＥＤ又は電球等の光源と、偏光板とを組み合わせて構成することもできる。例えば、第１軸方向に平行な直線偏光の光を出力する光源は、無偏光の光を照射する光源と、第１軸方向の光透過軸を有する偏光板とを組み合わせて構成される。また、第２軸方向に平行な直線偏光の光を出力する光源は、無偏光の光を照射する光源と、第２軸方向の光透過軸を有する偏光板とを組み合わせて構成される。
【００６２】
したがって、右円偏光である再生照明光２０を照射する再生光源１２ｂは、無偏光の光を照射する光源、第２軸方向の光透過軸を有する偏光板、及び上表のように偏光状態を変化させる１／４波長板を、この順に配置して構成することができる。この場合、第２軸方向の光透過軸を有する偏光板、及び上表のように偏光状態を変化させる１／４波長板を、無偏光の光を照射する光源とは別に構成し、反射型ホログラム２の光源側の直ぐ隣（図中の右隣り）に配置してもよい。これにより、立体像情報保持部１１ｂの光源側からのノイズ光が遮断されるので、反射型ホログラム２により再生される立体像２１の質が向上する。
【００６３】
なお、再生光源１２ｂは、右円偏光である再生照明光２０を照射する代わりに、左円偏光である再生照明光２０を照射してもよい。この場合、１／４波長板５は、透過する光の偏光状態を上表の透過前と透過後が逆になるように変化させるものが用いられる。
【００６４】
図９において、再生光源１２ｂから照射された再生照明光２０は右円偏光であるため、１／４波長板５を透過すると偏光面が第１軸方向に沿った直線偏光となる。その後、再生照明光２０は、光束分割素子３によって一部が反射される。光束分割素子３によって反射された再生照明光２０は、１／４波長板５を再度透過して偏光状態が左円偏光となる。
【００６５】
その後、再生照明光２０は、反射型ホログラム２の前面側に照射される。この結果、反射型ホログラム２の同じ前面側に立体像２１が再生される。再生された立体像２１の光２３は左円偏光であるため、１／４波長板５を透過すると偏光面が第２軸方向に沿った直線偏光となる。したがって、立体像２１の光２３の一部は、光束分割素子３及び偏光板４を透過して、観察者６によって観察される。
【００６６】
一方で、光束分割素子３によって反射されずに光束分割素子３を透過した再生光源１２ｂからの再生照明光２０は、偏光面が第１軸方向に沿った直線偏光であるため偏光板４によって吸収される。このため、図９に示された構成では、再生光源１２ｂの直接光は、観察者６によっては観察されない。したがって、観察者６が反射型ホログラム２の前面側から見たときの、再生光源１２ｂの直接光の眩しさが抑制される。
【００６７】
次に、図９において、太陽又は蛍光灯等からの外光７０は、偏光板４を透過すると偏光面が第２軸方向に沿った直線偏光となる。その後、外光７０は、光束分割素子３によって一部が反射されて、偏光板４を再度透過する。
【００６８】
ここで、観察者６によって観察される外光７０の反射光の光量は、偏光板４を透過する際に約半分に減光される。
【００６９】
一方で、光束分割素子３によって反射されずに光束分割素子３を透過した外光７０は第２軸方向に沿った直線偏光であるため、１／４波長板５を透過すると偏光状態が右円偏光となる。
【００７０】
その後、外光７０は、反射型ホログラム２の前面側に照射される。この結果、反射型ホログラム２の同じ前面側にゴースト像７１が再生される。再生されたゴースト像７１の光７３は右円偏光であるため、１／４波長板５を透過すると偏光面が第１軸方向に沿った直線偏光となる。その後、ゴースト像７１の光７３は、光束分割素子３を透過するが、第１軸方向に沿った直線偏光であるため偏光板４によって吸収される。
【００７１】
このため、図９に示された構成では、外光７０によって再生されたゴースト像７１の光７３は、観察者６によっては観察されない。したがって、外光７０によるゴースト像７１が、再生照明光２０による立体像２１に重なって観察者６によって観察されることが抑制される。
【００７２】
以上のように、本実施形態の立体像情報保持部は、反射型ホログラムと光束分割素子の間に配置された１／４波長板を備える。また、本実施形態の立体像情報保持部は、光束分割素子について反射型ホログラムとは反対の側に配置され、透過する光のうちの第１軸方向に沿った偏光成分を吸収する偏光板を備える。また、本実施形態の再生光源は、１／４波長板を透過した再生照明光が第１軸方向に沿った直線偏光となるように、再生照明光を照射する。
【００７３】
このような構成によれば、再生光源からの直接光の眩しさが抑制され、外光の反射光の眩しさが低減される。また、ゴースト像が生じることが抑制される。
【００７４】
［第６実施形態］
図１０は、第６実施形態に係る立体像情報保持部１１ｃの構成を模式的に示す図である。本実施形態の立体像情報保持部１１ｃは、図９に示された第５実施形態の光束分割素子３及び偏光板４の代わりに、偏光ビームスプリッタである光束分割素子３ｂを備える。その他については第５実施形態と同様であるため、以下では第５実施形態と異なる点について説明する。
【００７５】
光束分割素子３ｂは、照射された光の第１軸方向に沿った偏光成分を反射して第２軸方向に沿った偏光成分を透過させる。ここで、図９に示された第５実施形態の偏光板４の光吸収軸に平行な偏光軸方向を第１軸方向とし、偏光板４の光吸収軸に垂直な偏光軸方向を第２軸方向とした。光束分割素子３ｂとしては、例えば、第１軸方向に沿った金属細線を平面上に多数並べた偏光ビームスプリッタが用いられる。
【００７６】
図１０において、再生光源１２ｂから照射された再生照明光２０は右円偏光であるため、１／４波長板５を透過すると偏光面が第１軸方向に沿った直線偏光となる。その後、再生照明光２０は、第１軸方向に沿った直線偏光であるため光束分割素子３ｂによって反射される。光束分割素子３ｂによって反射された再生照明光２０は、１／４波長板５を再度透過して左円偏光となる。
【００７７】
その後、再生照明光２０は、反射型ホログラム２の前面側に照射される。この結果、反射型ホログラム２の同じ前面側に立体像２１が再生される。再生された立体像２１の光２３は左円偏光であるため、１／４波長板５を透過すると偏光面が第２軸方向に沿った直線偏光となる。したがって、立体像２１の光２３は、第２軸方向に沿った直線偏光であるため光束分割素子３ｂを透過して、観察者６によって観察される。
【００７８】
図１０に示された構成では、再生光源１２ｂから照射された再生照明光２０が立体像２１として観察者６によって観察されるまで、光束分割素子３ｂ、偏光板４、及び１／４波長板５において、原理上光量が減少しない。したがって、立体像２１が明るく再生される。
【００７９】
一方で、１／４波長板５を透過した再生光源１２ｂからの再生照明光２０は、第１軸方向に沿った直線偏光であるため光束分割素子３ｂを透過しない。このため、図１０に示された構成では、再生光源１２ｂの直接光は、観察者６によっては観察されない。したがって、観察者６が反射型ホログラム２の前面側から見たときの、再生光源１２ｂの直接光の眩しさが抑制される。
【００８０】
次に、図１０において、太陽又は蛍光灯等からの外光７０は、光束分割素子３ｂによって第１軸方向に沿った偏光成分が反射される。ここで、観察者６によって観察される外光７０の反射光は、光束分割素子３ｂで反射される際に約半分に減光されている。したがって、図１０に示された構成では、観察者６が反射型ホログラム２の前面側から見たときの、外光７０の反射光の眩しさが低減される。
【００８１】
一方で、光束分割素子３ｂによって反射されずに光束分割素子３ｂを透過した外光７０は第２軸方向に沿った直線偏光であるため、１／４波長板５を透過すると偏光状態が右円偏光となる。
【００８２】
その後、外光７０は、反射型ホログラム２の前面側に照射される。この結果、反射型ホログラム２の同じ前面側にゴースト像７１が再生される。再生されたゴースト像７１の光７３は右円偏光であるため、１／４波長板５を透過すると偏光面が第１軸方向に沿った直線偏光となる。その後、ゴースト像７１の光７３は、第１軸方向に沿った直線偏光であるため光束分割素子３ｂによって反射される。
【００８３】
このため、図１０に示された構成では、外光７０によって再生されたゴースト像７１の光７３は、観察者６によっては観察されない。したがって、外光７０によるゴースト像７１が、再生照明光２０による立体像２１に重なって観察者６によって観察されることが抑制される。
【００８４】
以上のように、本実施形態の光束分割素子は、照射された光の第１軸方向に沿った偏光成分を反射し、第１軸方向と直交する第２軸方向に沿った偏光成分を透過させる偏光ビームスプリッタである。また、本実施形態の光束分割素子は、１／４波長板とペアで用いられ、外光による反射を抑制する光アイソレータとして機能する。
【００８５】
このような構成によれば、第５実施形態の構成による効果に加えて、像が明るく再生される。
【００８６】
［第７実施形態］
図１１は、第７実施形態に係る立体像情報保持部１１ｄの構成を模式的に示す図である。本実施形態の立体像情報保持部１１ｄは、図１０に示された第６実施形態の構成に加えて、偏光板４を更に備える。その他については第６実施形態と同様であるため、以下では第６実施形態と異なる点について説明する。
【００８７】
偏光板４は、図９に示された第５実施形態の偏光板４と同じものであり、光束分割素子３ｂについて反射型ホログラム２とは反対の側に配置され、偏光板４を透過する光のうちの第１軸方向に沿った偏光成分を吸収して第２軸方向に沿った偏光成分を透過させる。
【００８８】
図１１において、太陽又は蛍光灯等からの外光７０は、偏光板４を透過すると偏光面が第２軸方向に沿った直線偏光となる。その後、外光７０は、第２軸方向に沿った直線偏光であるため光束分割素子３ｂによって反射されずに光束分割素子３ｂを透過する。したがって、図１１に示された構成では、外光７０の反射光は、観察者６によっては観察されない。したがって、外光７０の反射光の眩しさが抑制される。
【００８９】
以上のように、本実施形態の光束分割素子は、第６実施形態の構成に加えて、光束分割素子について反射型ホログラムとは反対の側に配置され、透過する光のうちの第１軸方向に沿った偏光成分を吸収する偏光板を更に備える。
【００９０】
このような構成によれば、第６実施形態の構成による効果に加えて、外光の反射光の眩しさが抑制される。
【００９１】
［第８実施形態］
図１２は、第８実施形態に係る立体像情報保持部１１ｅの構成を模式的に示す図である。本実施形態の立体像情報保持部１１ｅは、図８に示した第４実施形態に係る立体像情報保持部１１の反射型ホログラム２と光束分割素子３の配置を入れ替え、更に反射型ホログラム２の表裏を逆に配置した構成を有する。
【００９２】
再生光源１２は、立体像２１が再生される反射型ホログラム２の正面側である第１の側（図１２の右側）に配置され、再生照明光２０を、光束分割素子３を介して反射型ホログラム２に照射する。再生照明光２０は、例えば、反射型ホログラム２に物体像を記録したときの記録光と同じ波長成分を含むレーザ光源とすることができる。或いは、再生照明光２０は、記録光と同じ波長成分を含むＬＥＤ又は電球等であってもよい。また、本実施形態の再生光源１２は、直線偏光又は円偏光の再生照明光２０を照射してもよいし、無偏光の（すなわちランダムに偏光した）再生照明光２０を照射してもよい。
【００９３】
反射型ホログラム２は、第１の側から照射された再生照明光２０を反射して、同じ第１の側に立体像２１を再生する。反射型ホログラム２は、例えばリップマンホログラムとされる。
【００９４】
光束分割素子３は、反射型ホログラム２の第１の側に配置され、再生光源１２から照射される再生照明光２０の一部又は全部を反射型ホログラム２へ透過させる。また、光束分割素子３は、反射型ホログラム２によって再生された立体像２１の光２３の一部又は全部を反射型ホログラム２に向けて反射する。光束分割素子３は、入射する光の一部を透過させて一部を反射する例えばハーフミラー等のビームスプリッタとされる。
【００９５】
観察者６は、光束分割素子３によって反射された立体像２１の光２３を、反射型ホログラム２の第１の側とは反対側の第２の側（図１２の左側）から観察できる。
【００９６】
以下、反射型ホログラム２に再生照明光２０が照射されて生じる立体像２１が、観察者６によって観察される仕組みについて説明する。
【００９７】
図１２において、再生光源１２から照射された再生照明光２０は、その一部が光束分割素子３を透過し、第１の側から反射型ホログラム２に照射される。この結果、反射型ホログラム２の同じ第１の側に立体像２１が再生される。
【００９８】
反射型ホログラム２によって再生された立体像２１の光２３は、その一部が光束分割素子３によって反射されて、反射型ホログラム２を透過する。この結果、反射型ホログラム２の第２の側に立体像２１が形成されて、観察者６によって観察される。
【００９９】
図１２に示した反射型ホログラム２は、共役再生されたときに、シュードスコピックな立体像２１を再生する。この場合、反射型ホログラム２によって再生される凹凸及び左右が反転したシュードスコピックな立体像２１は、光束分割素子３により反射されて左右が再反転して、図１〜図７に示した位置Ｘ１に再生される。そして、位置Ｘ１に再生された立体像２１は、像投影部１３によって凹凸が再反転されて、位置Ｘ２に投影される。すなわち、本実施形態の立体像情報保持部１１ｅを用いた立体像投影装置１は、反射型ホログラム２に予め記憶されたもとの実物体と同じ凹凸及び左右の形状を有する立体像２２を、位置Ｘ２に投影することができる。後の第９〜第１１実施形態の立体像情報保持部を用いた立体像投影装置１についても同様である。
【０１００】
以上のように、本実施形態の立体像情報保持部は、第１の側から照射される再生照明光を反射して、同じ第１の側に立体像を再生する反射型ホログラムと、反射型ホログラムの第１の側に配置された光束分割素子と、を備える。この光束分割素子は、再生照明光の一部又は全部を反射型ホログラムへ透過させ、反射型ホログラムによって再生された立体像の光の一部又は全部を反射型ホログラムに向けて反射する。
【０１０１】
これにより、立体像投影装置は、反射型ホログラムを透過型ホログラムのように使用することができるため、立体像情報保持部を像投影部に近づけて配置して立体像投影装置を小型化しつつ、高品質な立体像を再生することができる。
【０１０２】
なお、図１２では、便宜上、反射型ホログラムと光束分割素子とを互いに空間を隔てて図示したが、反射型ホログラムと光束分割素子とは、互いに重ね合わされて配置されることが好ましい。これにより、立体像情報保持部が更に小型化される。
【０１０３】
［第９実施形態］
図１３は、第９実施形態に係る立体像情報保持部１１ｆの構成を模式的に示す図である。本実施形態の立体像情報保持部１１ｆは、図１２に示された第８実施形態の立体像情報保持部１１ｅの構成に加えて、偏光板４及び１／４波長板５ｆを更に備える。また、本実施形態の再生光源１２ｂは、円偏光の再生照明光２０を照射する。その他については第８実施形態と同じであるため、以下では第８実施形態と異なる点について説明する。
【０１０４】
偏光板４と１／４波長板５ｆとは、組み合わせて用いられ、反射型ホログラム２の第２の側の太陽又は蛍光灯等の外光源７からの外光７０による外光反射を抑制する光アイソレータとして機能する。偏光板４及び１／４波長板５ｆの光アイソレータとしての機能は、１／４波長板５ｆの互いに直交する高速軸及び低速軸が、偏光板４の光透過軸に対して４５°傾いている場合に最大となるが、本実施形態はこれに限定されない。１／４波長板５ｆの高速軸又は低速軸は、偏光板４の光透過軸に対して、０°よりも大きく９０°よりも小さい角度で傾いていればよい。
【０１０５】
偏光板４は、反射型ホログラム２の第２の側に配置される。偏光板４は、第１軸方向の光透過軸を有し、入射する光の第１軸方向の偏光成分を透過させ、第１軸方向と直交する第２軸方向の偏光成分を吸収又は反射して透過させない。このような偏光板４としては、例えば、ポリビニルアルコール（ＰＶＡ）フィルム等にヨウ素化合物又は２色性有機染料を吸着して配向させた偏光板が用いられる。
【０１０６】
１／４波長板５ｆは、反射型ホログラム２と偏光板４の間に配置される。１／４波長板５ｆは、１／４波長板５ｆを透過する光の高速軸方向の偏光成分と低速軸方向の偏光成分の間に１／４波長に相当する位相差を与える。これにより、１／４波長板５ｆは、１／４波長板５ｆを透過した光の偏光状態を例えば第２実施形態に示した上表のように変化させる。ここで、第１軸方向は、偏光板４の光透過軸に平行な偏光軸方向であり、第２軸方向は、偏光板４の光透過軸と直交する偏光軸方向である。
【０１０７】
１／４波長板５ｆは、４００〜７００ｎｍの可視光域の透過光に対して概ね１／４波長に相当する位相差を与える広帯域性を有することが好ましい。また、１／４波長板５ｆは、４００〜７００ｎｍの可視光域の入射光に対する角度依存性が低いことが好ましい。
【０１０８】
再生光源１２ｂは、１／４波長板５ｆを一回透過すると第１軸方向に平行な直線偏光となるように、例えば、右円偏光の再生照明光２０を照射する。このような右円偏光の再生照明光２０を照射する再生光源１２ｂは、例えば、第２軸方向に平行な直線偏光の光を出力するレーザ光源と、上表のように光の偏光状態を変化させる１／４波長板とを組み合わせて構成される。
【０１０９】
ここで、直線偏光の光を出力する光源は、レーザ光源を用いる他に、無偏光の光を照射するＬＥＤ又は電球等の光源と、偏光板とを組み合わせて構成することもできる。例えば、第１軸方向に平行な直線偏光の光を出力する光源は、無偏光の光を照射する光源と、第１軸方向の光透過軸を有する偏光板とを組み合わせて構成される。また、第２軸方向に平行な直線偏光の光を出力する光源は、無偏光の光を照射する光源と、第２軸方向の光透過軸を有する偏光板とを組み合わせて構成される。
【０１１０】
したがって、右円偏光である再生照明光２０を照射する再生光源１２ｂは、無偏光の光を照射する光源、第２軸方向の光透過軸を有する偏光板、及び上表のように偏光状態を変化させる１／４波長板を、この順に配置して構成することができる。この場合、第２軸方向の光透過軸を有する偏光板、及び上表のように偏光状態を変化させる１／４波長板を、無偏光の光を照射する光源とは別に構成し、光束分割素子３の光源側の直ぐ隣（図中の右隣り）に配置してもよい。これにより、立体像情報保持部１１ｆの光源側からのノイズ光が遮断されるので、反射型ホログラム２により再生される立体像２１の質が向上する。
【０１１１】
なお、再生光源１２ｂは、右円偏光である再生照明光２０を照射する代わりに、左円偏光である再生照明光２０を照射してもよい。この場合、１／４波長板５ｆは、透過する光の偏光状態を上表の透過前と透過後が逆になるように変化させるものが用いられる。
【０１１２】
まず、反射型ホログラム２に再生照明光２０が照射されて生じる立体像２１が、観察者６によって観察される仕組みについて説明する。
【０１１３】
図１３において、再生光源１２ｂは、１／４波長板５ｆを一回透過すると第１軸方向に平行な直線偏光となる例えば右円偏光の再生照明光２０を照射する。この再生照明光２０は、反射型ホログラム２に物体像を記録したときの記録光と同じ方向から照射される。
【０１１４】
再生光源１２ｂから照射された再生照明光２０は、その一部が光束分割素子３を透過し、第１の側から反射型ホログラム２に照射される。この結果、反射型ホログラム２の同じ第１の側に立体像２１が再生される。
【０１１５】
反射型ホログラム２によって再生された立体像２１の光２３は、その一部が光束分割素子３によって反射され、反射型ホログラム２を透過して反射型ホログラム２の第２の側に立体像２１を形成する。反射型ホログラム２を透過した立体像２１の光２３は、右円偏光であるため、１／４波長板５ｆを透過すると、偏光面が第１軸方向に平行な直線偏光となる。このため、１／４波長板５ｆを透過した立体像２１の光２３は、偏光板４を透過する。この結果、立体像２１が観察者６によって観察される。
【０１１６】
次に、太陽又は蛍光灯等の外光源７から照射される外光７０によって生じるゴースト像７１ａ、７１ｂの影響について説明する。
【０１１７】
図１３において、外光源７からの外光７０は、偏光板４を透過すると、偏光面が第１軸方向に平行な直線偏光となる。偏光板４を透過した外光７０は、偏光面が第１軸方向に平行な直線偏光であるため、１／４波長板５ｆを透過すると、左円偏光となる。
【０１１８】
１／４波長板５ｆを透過した外光７０は、第２の側から反射型ホログラム２に照射される。この結果、反射型ホログラム２の同じ第２の側にゴースト像７１ａが再生される。このゴースト像７１ａは、反射型ホログラム２の背面側である第２の側から光が照射されて生じる共役像であり、像が反転したいわゆるシュードスコピックな像となる。このゴースト像７１ａは、反射型ホログラム２に物体像を記録したときの記録光と反対の方向から外光７０が照射される場合に特に生じやすい。
【０１１９】
反射型ホログラム２によって再生されたゴースト像７１ａの光７３ａは、左円偏光であるため、１／４波長板５ｆを透過すると、偏光面が第２軸方向に平行な直線偏光となる。このため、１／４波長板５ｆを透過したゴースト像７１ａの光７３ａは、偏光板４によって吸収又は反射されて、観察者６によっては観察されない。
【０１２０】
また、図１３において、反射型ホログラム２を透過した外光７０は、光束分割素子３によって反射されて、第１の側から反射型ホログラム２に照射される。この結果、反射型ホログラム２の同じ第１の側にゴースト像７１ｂが再生される。
【０１２１】
反射型ホログラム２によって再生されたゴースト像７１ｂの光７３ｂは、光束分割素子３によって反射されて、反射型ホログラム２を透過する。反射型ホログラム２を透過したゴースト像７１ｂの光７３ｂは、左円偏光であるため、１／４波長板５ｆを透過すると、偏光面が第２軸方向に平行な直線偏光となる。このため、１／４波長板５ｆを透過したゴースト像７１ｂの光７３ｂは、偏光板４によって吸収又は反射されて、観察者６によっては観察されない。
【０１２２】
このように、本実施形態の立体像情報保持部１１ｆでは、外光７０によって生じるゴースト像７１ａ、７１ｂの光７３ａ、光７３ｂは、ともに偏光板４を透過しないため、ゴースト像７１ａ、７１ｂのない鮮明な立体像２１が、観察者６によって観察される。
【０１２３】
なお、反射型ホログラム２によって再生されたゴースト像７１ｂの光７３ｂが、光束分割素子３によって反射され、更に反射型ホログラム２に照射されて高次のゴースト像７１ｂが再生されることもある。このような高次のゴースト像７１ｂは、光量が小さいため、その影響は実際上無視することができる。
【０１２４】
次に、外光源７から照射される外光７０の反射光７４の影響について説明する。
【０１２５】
図１３において、光束分割素子３によって反射されて、反射型ホログラム２及び１／４波長板５ｆを透過した外光７０の反射光７４は、偏光面が第２軸方向に平行な直線偏光であるため、偏光板４によって吸収又は反射されて、観察者６によっては観察されない。
【０１２６】
このように、本実施形態の立体像情報保持部１１ｆでは、外光７０の反射光７４は、偏光板４を透過しないため、外光７０の反射光７４の眩しさが抑制された立体像２１が、観察者６によって観察される。
【０１２７】
以上のように、本実施形態の立体像情報保持部は、反射型ホログラムの第１の側とは反対側の第２の側に配置され、入射する光の第１軸方向の偏光成分を透過させ、第１軸方向と直交する第２軸方向の偏光成分を透過させない偏光板を更に備える。また、立体像情報保持部は、反射型ホログラムと偏光板の間に配置された１／４波長板を更に備える。また、光束分割素子は、入射する光の一部を透過させて一部を反射し、再生光源は、１／４波長板を一回透過すると第１軸方向に平行な直線偏光となる円偏光の再生照明光を照射する。
【０１２８】
これにより、本実施形態の立体像情報保持部は、第８実施形態の効果に加えて、外光によって生じるゴースト像の影響、及び外光反射の眩しさを抑制することができる。
【０１２９】
［第１０実施形態］
図１４は、第１０実施形態に係る立体像情報保持部１１ｇの構成を模式的に示す図である。本実施形態の立体像情報保持部１１ｇは、図１３に示された第９実施形態の構成と比較して、１／４波長板５ｆの代わりに、１／４波長板５ｇが、反射型ホログラム２と光束分割素子３の間に配置されている点で異なる。また、本実施形態の再生光源１２ｇは、第９実施形態の再生光源１２ｂとは逆方向の円偏光の再生照明光２０を照射する。その他については第９実施形態と同じであるため、以下では第９実施形態と異なる点について説明する。
【０１３０】
１／４波長板５ｇは、反射型ホログラム２と光束分割素子３の間に配置される。この１／４波長板５ｇは、図１３に示された第９実施形態の１／４波長板５ｆと同じものであり、１／４波長板５ｇを透過した光の偏光状態を例えば第２実施形態に示した上表のように変化させる。
【０１３１】
再生光源１２ｇは、１／４波長板５ｇを一回透過すると第２軸方向に平行な直線偏光となるように、例えば、左円偏光の再生照明光２０を照射する。このような左円偏光の再生照明光２０を照射する再生光源１２ｇは、例えば、第１軸方向に平行な直線偏光の光を出力するレーザ光源と、上表のように光の偏光状態を変化させる１／４波長板とを組み合わせて構成される。
【０１３２】
或いは、左円偏光である再生照明光２０を照射する再生光源１２ｇは、無偏光の光を照射する光源、第１軸方向の光透過軸を有する偏光板、及び上表のように偏光状態を変化させる１／４波長板を、この順に配置して構成することもできる。この場合、第１軸方向の光透過軸を有する偏光板、及び上表のように偏光状態を変化させる１／４波長板を、無偏光の光を照射する光源とは別に構成し、光束分割素子３の光源側の直ぐ隣（図中の右隣り）に配置してもよい。これにより、立体像情報保持部１１ｇの光源側からのノイズ光が遮断されるので、反射型ホログラム２により再生される立体像２１の質が向上する。
【０１３３】
なお、再生光源１２ｇは、左円偏光である再生照明光２０を照射する代わりに、右円偏光である再生照明光２０を照射してもよい。この場合、１／４波長板５ｇは、透過する光の偏光状態を上表の透過前と透過後が逆になるように変化させるものが用いられる。
【０１３４】
まず、反射型ホログラム２に再生照明光２０が照射されて生じる立体像２１が、観察者６によって観察される仕組みについて説明する。
【０１３５】
図１４において、再生光源１２ｇは、１／４波長板５ｇを一回透過すると第２軸方向に平行な直線偏光となる例えば左円偏光の再生照明光２０を照射する。この再生照明光２０は、反射型ホログラム２に物体像を記録したときの記録光と同じ方向から照射される。
【０１３６】
再生光源１２ｇから照射された再生照明光２０は、その一部が光束分割素子３を透過する。光束分割素子３を透過した再生照明光２０は、左円偏光であるため、１／４波長板５ｇを透過すると、偏光面が第２軸方向に平行な直線偏光となる。
【０１３７】
１／４波長板５ｇを透過した再生照明光２０は、第１の側から反射型ホログラム２に照射される。この結果、反射型ホログラム２の同じ第１の側に立体像２１が再生される。
【０１３８】
反射型ホログラム２によって再生された立体像２１の光２３は、偏光面が第２軸方向に平行な直線偏光であるため、１／４波長板５ｇを透過すると、右円偏光となる。１／４波長板５ｇを透過して、光束分割素子３によってその一部が反射された立体像２１の光２３は、右円偏光であるため、１／４波長板５ｇを透過すると、偏光面が第１軸方向に平行な直線偏光となる。１／４波長板５ｇを透過した立体像２１の光２３は、反射型ホログラム２を透過して、反射型ホログラム２の第２の側に立体像２１を形成する。反射型ホログラム２を透過した立体像２１の光２３は、偏光面が第１軸方向に平行な直線偏光であるため、偏光板４を透過する。この結果、立体像２１が観察者６によって観察される。
【０１３９】
次に、再生光源１２ｇから照射される再生照明光２０の直接光２４の影響について説明する。
【０１４０】
図１４において、反射型ホログラム２を透過した再生照明光２０の直接光２４は、偏光面が第２軸方向に平行な直線偏光であるため、偏光板４によって吸収又は反射されて、観察者６によっては観察されない。
【０１４１】
このように、本実施形態の立体像情報保持部１１ｇでは、再生光源１２ｇから照射される再生照明光２０の直接光２４は、偏光板４を透過しないため、再生照明光２０の直接光２４の眩しさが抑制された立体像２１が、観察者６によって観察される。
【０１４２】
次に、太陽又は蛍光灯等の外光源７から照射される外光７０によって生じるゴースト像７１ａ、７１ｂの影響について説明する。
【０１４３】
図１４において、外光源７からの外光７０は、偏光板４を透過すると、偏光面が第１軸方向に平行な直線偏光となる。
【０１４４】
偏光板４を透過した外光７０は、第２の側から反射型ホログラム２に照射される。この結果、反射型ホログラム２の同じ第２の側にゴースト像７１ａが再生される。
【０１４５】
反射型ホログラム２によって再生されたゴースト像７１ａの光７３ａは、偏光面が第１軸方向に平行な直線偏光であるため、偏光板４を透過して観察者６によって観察される。ただし、観察者６によって観察されるゴースト像７１ａの光７３ａの光量は、外光７０が最初に偏光板４を透過する際に概ね半分に減少するため、ゴースト像７１ａの影響が低減される。
【０１４６】
また、図１４において、反射型ホログラム２を透過した外光７０は、偏光面が第１軸方向に平行な直線偏光であるため、１／４波長板５ｇを透過すると、左円偏光となる。１／４波長板５ｇを透過して、光束分割素子３によってその一部が反射された外光７０は、左円偏光であるため、１／４波長板５ｇを再び透過すると、偏光面が第２軸方向に平行な直線偏光となる。
【０１４７】
１／４波長板５ｇを再び透過した外光７０は、第１の側から反射型ホログラム２に照射される。この結果、反射型ホログラム２の同じ第１の側にゴースト像７１ｂが再生される。
【０１４８】
反射型ホログラム２によって再生されたゴースト像７１ｂの光７３ｂは、偏光面が第２軸方向に平行な直線偏光であるため、１／４波長板５ｇを透過すると、右円偏光となる。１／４波長板５ｇを透過して、光束分割素子３によってその一部が反射されたゴースト像７１ｂの光７３ｂは、右円偏光であるため、１／４波長板５ｇを再び透過すると、偏光面が第１軸方向に平行な直線偏光となる。このため、１／４波長板５ｇ及び反射型ホログラム２を透過したゴースト像７１ｂの光７３ｂは、偏光板４を透過して観察者６によって観察される。ただし、観察者６によって観察されるゴースト像７１ｂの光７３ｂの光量は、外光７０が偏光板４を透過したり光束分割素子３によって反射されたりする度にその光量が概ね半分に減少するため、ゴースト像７１ｂの影響が低減される。
【０１４９】
次に、外光源７から照射される外光７０の反射光７４の影響について説明する。
【０１５０】
図１４において、光束分割素子３によって反射されて、１／４波長板５ｇ及び反射型ホログラム２を透過した外光７０の反射光７４は、偏光面が第２軸方向に平行な直線偏光であるため、偏光板４によって吸収又は反射されて、観察者６によっては観察されない。
【０１５１】
このように、本実施形態の立体像情報保持部１１ｇでは、外光７０の反射光７４は、偏光板４を透過しないため、外光７０の反射光７４の眩しさが抑制された立体像２１が、観察者６によって観察される。
【０１５２】
以上のように、本実施形態の立体像情報保持部は、反射型ホログラムの第１の側とは反対側の第２の側に配置され、入射する光の第１軸方向の偏光成分を透過させ、第１軸方向と直交する第２軸方向の偏光成分を透過させない偏光板を更に備える。また、立体像情報保持部は、反射型ホログラムと光束分割素子の間に配置された１／４波長板を更に備える。また、光束分割素子は、入射する光の一部を透過させて一部を反射し、再生光源は、１／４波長板を一回透過すると第２軸方向に平行な直線偏光となる円偏光の再生照明光を照射する。
【０１５３】
これにより、本実施形態の立体像情報保持部は、第８実施形態の効果に加えて、外光によって生じるゴースト像の影響を低減するとともに、再生光源からの直接光、及び外光反射の眩しさを抑制することができる。
【０１５４】
［第１１実施形態］
図１５は、第１１実施形態に係る立体像情報保持部１１ｈの構成を模式的に示す図である。本実施形態の立体像情報保持部１１ｈは、第９実施形態及び第１０実施形態の構成と比較して、図１３に示された１／４波長板５ｆと図１４に示された１／４波長板５ｇの両方を備える点で異なる。また、本実施形態の再生光源１２ｈは、偏光板４の光透過軸の方向である第１軸方向に平行な直線偏光の再生照明光２０を照射する。
【０１５５】
また、本実施形態の光束分割素子３ｂは、偏光板４の光透過軸と同じ第１軸方向の光透過軸を有し、入射する光の第１軸方向の偏光成分を透過させ、第１軸方向と直交する偏光成分を反射する。このような光束分割素子３ｂとしては、例えば、第１軸方向と直交する第２軸方向に延びる金属細線を、再生光源１２ｈから照射される再生照明光２０の波長よりも短い間隔で平面上に並べた偏光ビームスプリッタが用いられる。
【０１５６】
その他については第９実施形態及び第１０実施形態と同じであるため、以下では第９実施形態及び第１０実施形態と異なる点について説明する。
【０１５７】
まず、反射型ホログラム２に再生照明光２０が照射されて生じる立体像２１が、観察者６によって観察される仕組みについて説明する。
【０１５８】
図１５において、再生光源１２ｈは、第１軸方向に平行な直線偏光の再生照明光２０を照射する。この再生照明光２０は、反射型ホログラム２に物体像を記録したときの記録光と同じ方向から照射される。
【０１５９】
再生光源１２ｈから照射された再生照明光２０は、偏光面が第１軸方向に平行な直線偏光であるため、光束分割素子３ｂを透過する。光束分割素子３ｂを透過した再生照明光２０は、偏光面が第１軸方向に平行な直線偏光であるため、１／４波長板５ｇを透過すると、左円偏光となる。
【０１６０】
１／４波長板５ｇを透過した再生照明光２０は、第１の側から反射型ホログラム２に照射される。この結果、反射型ホログラム２の同じ第１の側に立体像２１が再生される。
【０１６１】
反射型ホログラム２によって再生された立体像２１の光２３は、左円偏光であるため、１／４波長板５ｇを透過すると、偏光面が第２軸方向に平行な直線偏光となる。このため、１／４波長板５ｇを透過した立体像２１の光２３は、光束分割素子３ｂによって反射される。光束分割素子３ｂによって反射された立体像２１の光２３は、偏光面が第２軸方向に平行な直線偏光であるため、１／４波長板５ｇを透過すると、右円偏光となる。１／４波長板５ｇを透過した立体像２１の光２３は、反射型ホログラム２を透過して、反射型ホログラム２の第２の側に立体像２１を形成する。反射型ホログラム２を透過した立体像２１の光２３は、右円偏光であるため、１／４波長板５ｆを透過すると、偏光面が第１軸方向に平行な直線偏光となる。このため、１／４波長板５ｆを透過した立体像２１の光２３は、偏光板４を透過する。この結果、立体像２１が観察者６によって観察される。
【０１６２】
このように、本実施形態の構成では、再生光源１２ｈによって照射された再生照明光２０が観察者６によって立体像２１の光２３として観察されるまで、再生照明光２０の光量は、反射型ホログラム２を直接光２４が透過する以外、原理上は減少しない。これに対し、第８〜第１０実施形態の構成では、例えば光束分割素子３が透過率及び反射率が５０％のハーフミラーである場合、再生照明光２０の光量は、光が光束分割素子３を透過又は反射する度に半分に減少する。したがって、本実施形態の立体像情報保持部１１ｈでは、第８〜第１０実施形態の構成と比較して、明るい立体像２１が観察者６によって観察される。
【０１６３】
次に、再生光源１２ｈから照射される再生照明光２０の直接光２４の影響について説明する。
【０１６４】
図１５において、反射型ホログラム２を透過した再生照明光２０の直接光２４は、左円偏光であるため、１／４波長板５ｆを透過すると、偏光面が第２軸方向に平行な直線偏光となる。このため、１／４波長板５ｆを透過した再生照明光２０の直接光２４は、偏光板４によって吸収又は反射されて、観察者６によっては観察されない。
【０１６５】
このように、本実施形態の立体像情報保持部１１ｈでは、再生光源１２ｈから照射される再生照明光２０の直接光２４は、偏光板４を透過しないため、再生照明光２０の直接光２４の眩しさが抑制された立体像２１が、観察者６によって観察される。
【０１６６】
次に、太陽又は蛍光灯等の外光源７から照射される外光７０によって生じるゴースト像７１ａ、７１ｂの影響について説明する。
【０１６７】
図１５において、外光源７からの外光７０は、偏光板４を透過すると、偏光面が第１軸方向に平行な直線偏光となる。
【０１６８】
偏光板４を透過した外光７０は、偏光面が第１軸方向に平行な直線偏光であるため、１／４波長板５ｆを透過すると、左円偏光となる。
【０１６９】
１／４波長板５ｆを透過した外光７０は、第２の側から反射型ホログラム２に照射される。この結果、反射型ホログラム２の同じ第２の側にゴースト像７１ａが再生される。
【０１７０】
反射型ホログラム２によって再生されたゴースト像７１ａの光７３ａは、左円偏光であるため、１／４波長板５ｆを透過すると、偏光面が第２軸方向に平行な直線偏光となる。このため、１／４波長板５ｆを透過したゴースト像７１ａの光７３ａは、偏光板４によって吸収又は反射されて、観察者６によっては観察されない。
【０１７１】
また、図１５において、反射型ホログラム２を透過した外光７０は、左円偏光であるため、１／４波長板５ｇを透過すると、偏光面が第２軸方向に平行な直線偏光となる。このため、１／４波長板５ｇを透過した外光７０は、光束分割素子３ｂによって反射される。光束分割素子３ｂによって反射された外光７０は、偏光面が第２軸方向に平行な直線偏光であるため、１／４波長板５ｇを透過すると、右円偏光となる。１／４波長板５ｇを透過した外光７０は、第１の側から反射型ホログラム２に照射される。この結果、反射型ホログラム２の同じ第１の側にゴースト像７１ｂが再生される。
【０１７２】
反射型ホログラム２によって再生されたゴースト像７１ｂの光７３ｂは、右円偏光であるため、１／４波長板５ｇを透過すると、偏光面が第１軸方向に平行な直線偏光となる。このため、１／４波長板５ｇを透過したゴースト像７１ｂの光７３ｂは、光束分割素子３ｂを透過して観察者６とは反対の方向に進み、観察者６によっては観察されない。
【０１７３】
このように、本実施形態の立体像情報保持部１１ｈでは、外光７０によって生じるゴースト像７１ａ、７１ｂの光７３ａ、光７３ｂは、ともに偏光板４を透過しないため、ゴースト像７１ａ、７１ｂのない鮮明な立体像２１が、観察者６によって観察される。
【０１７４】
次に、外光源７から照射される外光７０の反射光７４の影響について説明する。
【０１７５】
図１５において、光束分割素子３ｂによって反射されて、１／４波長板５ｇ及び反射型ホログラム２を透過した外光７０の反射光７４は、右円偏光であるため、１／４波長板５ｆを透過すると、偏光面が第１軸方向に平行な直線偏光となる。このため、１／４波長板５ｆを透過した外光７０の反射光７４は、偏光板４を透過して観察者６によって観察される。ただし、観察者６によって観察される外光７０の光量は、外光７０が最初に偏光板４を透過する際に概ね半分に減少するため、外光７０の反射光７４の眩しさが低減される。
【０１７６】
以上のように、本実施形態の立体像情報保持部は、反射型ホログラムの第１の側とは反対側の第２の側に配置され、入射する光の第１軸方向の偏光成分を透過させ、第１軸方向と直交する第２軸方向の偏光成分を透過させない偏光板を更に備える。また、立体像情報保持部は、反射型ホログラムと偏光板の間に配置された第１の１／４波長板と、反射型ホログラムと光束分割素子の間に配置された第２の１／４波長板と、を更に備える。また、光束分割素子は、入射する光の第１軸方向の偏光成分を透過させ、第２軸方向の偏光成分を反射し、再生光源は、第１軸方向に平行な直線偏光の再生照明光を照射する。
【０１７７】
これにより、本実施形態の立体像情報保持部は、第８実施形態の効果に加えて、再生光源から照射される再生照明光を効率的に利用して明るい立体像を再生するとともに、再生光源からの直接光、及び外光によって生じるゴースト像の影響を抑制することができる。
【０１７８】
上述の実施形態は、いずれも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【０１７９】
例えば、図９〜図１１、図１３〜図１５では、便宜上、反射型ホログラム、光束分割素子、偏光板、及び１／４波長板を互いに空間を隔てて図示したが、これらは、互いに重ね合わされて配置されることが好ましい。これにより、立体像情報保持部が更に小型化される。また、反射型ホログラム、光束分割素子、偏光板、及び１／４波長板のエッジが観察方向によって立体像の光に重なることがなくなるため、観察者が立体像（再生像）を観察する際に、エッジにおいて不連続な立体像が再生されることが避けられる。
【０１８０】
上述の実施形態の立体像投影装置１は、例えば、車両のフロントディスプレイ、或いは車両に搭載されたカーナビ（Car Navigation System）のディスプレイにおいて立体像を投影する立体像投影装置１として適用することが可能である。また、宝石店等のショーケースに、上述の実施形態の立体像投影装置１を適用することも可能である。これにより、ショーケース内の宝石をショーケース上に浮遊しているように見せて再生し、より視覚効果に優れた表示を行うことが可能となる。更に、上述の実施形態の立体像投影装置１を、ヘッドアップディスプレイ（HUD: Head-Up Display）のような用途に適用することも可能である。
【図１】
2019146802.tif 000004
【図２】
2019146802.tif 000005
【図３】
2019146802.tif 000006
【図４】
2019146802.tif 000007
【図５】
2019146802.tif 000008
【図６】
2019146802.tif 000009
【図７】
2019146802.tif 000010
【図８】
2019146802.tif 000011
【図９】
2019146802.tif 000012
【図１０】
2019146802.tif 000013
【図１１】
2019146802.tif 000014
【図１２】
2019146802.tif 000015
【図１３】
2019146802.tif 000016
【図１４】
2019146802.tif 000017
【図１５】
2019146802.tif 000018
【国際調査報告】
2019146802.tif 000019
2019146802.tif 000020